(57)【要約】【課題】ベースの両側部に接合される一対の支持部材を位置ずれなく固定すると共に、同支持部材により両側部が支持される熱交換器の支持強度を増強することができるようにした空気調和機を提供する。【解決手段】本体の上部に形成された吸込口と、下部に形成された吹出口とを結ぶ空気通路に、該空気通路を構成するベースａに接合される支持部材４により両側部が支持され、前部熱交換器５および後部熱交換器６により逆Ｖ字状に形成された熱交換器７と、同熱交換器７により熱交換された空気を前記吹出口に送出する送風ファン８とを設けてなる空気調和機において、前記両支持部材４間に補強部材９を架設した。【選択図】  図３
2004183977.tif 000002
【特許請求の範囲】
【請求項１】
本体の上部に形成された吸込口と、下部に形成された吹出口とを結ぶ空気通路に、該空気通路を構成するベースに接合される支持部材により両側部が支持され、前部熱交換器および後部熱交換器により逆Ｖ字状に形成された熱交換器と、同熱交換器により熱交換された空気を前記吹出口に送出する送風ファンとを設けてなる空気調和機において、
前記両支持部材間に、補強部材が架設されてなることを特徴とする空気調和機。
【請求項２】
前記補強部材の両側部および前記両支持部材に、これら補強部材の両側部および両支持部材を着脱可能に固定する固定部が設けられてなることを特徴とする請求項１に記載の空気調和機。
【請求項３】
前記固定部が、前記両支持部材に設けられた係合部と、前記補強部材に設けられ、前記係合部に係脱可能に係合する係合片とからなることを特徴とする請求項２に記載の空気調和機。
【請求項４】
前記固定部が、前記両支持部材に形成された前記補強部材の両側端を規制する規制片からなることを特徴とする請求項２に記載の空気調和機。
【請求項５】
前記補強部材に、外気導入ダクトが接続される外気導入口を設けてなることを特徴とする請求項１に記載の空気調和機。
【発明の詳細な説明】
【０００１】
【発明の属する技術分野】
本発明は、空気調和機に係わり、より詳細には、ベースの両側部に接合される一対の支持部材を位置ずれなく固定すると共に、同支持部材により両側部が支持される熱交換器の支持強度を増強することができるようにした構造に関する。
【０００２】
【従来の技術】
従来の空気調和機には、熱交換器の略中間部と本体ケーシングとの間にフィンに沿った支持部材を設けることによって、同熱交換器の中間部を本体ケーシング側に保持して機械的に補強することができるようになり、室内機本体の薄型化に伴い熱交換器の厚みが小さく横幅が長くなっても、同熱交換器の曲げを防止することができるようにしたものがあった（例えば、特許文献１参照。）。
【０００３】
前記支持部材はフィンに沿って平行に形成することによって、運転時の空気流に対して殆んど空気抵抗にならず、運転効率を阻害することがない構成になっていた。
【０００４】
しかしながら、上記構成でなる空気調和機においては、本体ケーシング内に設けられているという熱交換器がどのように取り付けられ、または、どのような部材によって支持されているかについての記述がなく、例えば熱交換器の両側部を直接支持している部材同士を補強部材で連結して該個所の強度を増強させるようにしたり、この補強部材によって、本体ケーシングが被着される前の熱交換器に手指が触れないように保護できるようになるといった構成の開示はなかった。
【０００５】
【特許文献１】
実開昭６０−１４４２６号公報（第５頁、第１図）
【０００６】
【発明が解決しようとする課題】
本発明においては、上記の問題点に鑑み、ベースの両側部に接合される一対の支持部材を位置ずれなく固定すると共に、同支持部材により両側部が支持される熱交換器の支持強度を増強することができるようにした空気調和機を提供することを目的とする。
【０００７】
【課題を解決するための手段】
本発明は、上記課題を解決するため、本体の上部に形成された吸込口と、下部に形成された吹出口とを結ぶ空気通路に、該空気通路を構成するベースに接合される支持部材により両側部が支持され、前部熱交換器および後部熱交換器により逆Ｖ字状に形成された熱交換器と、同熱交換器により熱交換された空気を前記吹出口に送出する送風ファンとを設けてなる空気調和機において、
前記両支持部材間に、補強部材が架設されてなる構成となっている。
【０００８】
また、前記補強部材の両側部および前記両支持部材に、これら補強部材の両側部および両支持部材を着脱可能に固定する固定部が設けられてなる構成となっている。
【０００９】
また、前記固定部が、前記両支持部材に設けられた係合部と、前記補強部材に設けられ、前記係合部に係脱可能に係合する係合片とからなる構成となっている。
【００１０】
また、前記固定部が、前記両支持部材に形成された前記補強部材の両側端を規制する規制片からなる構成となっている。
【００１１】
更に、前記補強部材に、外気導入ダクトが接続される外気導入口を設けてなる構成となっている。
【００１２】
【発明の実施の形態】
以下、本発明の実施の形態を図面に基づいた実施例として詳細に説明する。
図１は本発明による空気調和機の説明図で、（Ａ）は断面図、（Ｂ）はベースおよび前面パネルの斜視図であり、図２は本発明による空気調和機の説明図で、（Ａ）は斜視図、（Ｂ）は熱交換器および支持部材の斜視図であり、図３は本発明による空気調和機の要部説明図で、（Ａ）は分解斜視図、（Ｂ）は斜視図であり、図４は本発明による空気調和機の要部斜視図である。
【００１３】
本発明による空気調和機は、図で示すように、前部および上端部Ｃを開放したベースａに、吸込口１を備えた上面パネルｂおよび吹出口２を備えた下面パネルからなる前面パネルｅを装着して本体Ａが構成され、同本体Ａの背面側上部に設けられた係止部ｆを、被空調室の壁面に固着された据付板Ｂの係止爪ｇに係止して壁掛け設置されるようにした構成になっている。
【００１４】
前記ベースａの上端部Ｃを開放したことにより、合成樹脂によって金型成形される同ベースａの小型化をはかり、使用される素材の量を減らして軽量化をはかると共に、成形用の金型を簡素化して効果的なコストダウンを実現できるようになっている。
【００１５】
なお、開放された前記ベースａの上端部Ｃは、前記本体Ａが壁掛け設置された際、前記据付板Ｂの一部によって覆われるようになっている。
【００１６】
前記上面パネルｂには、前記吸込口１を構成する吸込グリルｃが着脱可能に設けられている。
【００１７】
前記吸込口１と前記吹出口２とを結ぶ空気通路には、該空気通路を構成するベースａに接合される支持部材４によって両側部が支持され、前部熱交換器５および後部熱交換器６により逆Ｖ字状に形成された熱交換器７と、同熱交換器７により熱交換された空気を前記吹出口２に送出する送風ファン８とが夫々設けられている。
【００１８】
前記熱交換器７の両側部を支持する前記両支持部材４は、そのままでは前記熱交換器７の左右長さのバラツキにより位置ずれが生じて、前記ベースａとの接合時の位置決めが困難になってしまうおそれがある。
【００１９】
そのため、前記両支持部材４同士の間に、前記後部熱交換器６に対向するように補強部材９を着脱可能に架設して、同補強部材９を架設したことにより前記両支持部材４に位置ずれが生じないように規制すると共に、前記熱交換器７を支持する支持構造としての強度を増強できるようにした構成となっている。
【００２０】
また、図１と、図２（Ｂ）とで示すように、前記両支持部材４により前記熱交換器７の両側部を支持し、同両支持部材４同士の間に前記補強部材９を架設した状態で、例えば前記ベースａに接合するため背面側から持ち上げるような場合には、図３（Ａ）および図３（Ｂ）で示す前記補強部材９により前記後部熱交換器６に手指が直接触れないようにカバーできることになる。
【００２１】
前記補強部材９の両側部および前記両支持部材４には、これら補強部材９の両側部および両支持部材４を互いに着脱可能に固定する固定部１０を設けることにより、同両支持部材４を、左右方向の位置ずれを生じさせることなく固定できて前記ベースａに正確に接合できるようになる。
【００２２】
前記固定部１０は、図３（Ａ）および図３（Ｂ）と、図４とで示すように、前記両支持部材４に設けられた係合部１０ａ  と、前記補強部材９に設けられ、前記係合部１０ａ  に係脱可能に係合する係合片９ａとからなる構成となっている。
【００２３】
前記係合部１０ａ  は、上方を開放したポケット状に形成され、該開放部から逆凸状に形成された前記係合片９ａを係脱可能に係合するようになっており、簡単に離脱してしまわないよう正確に、且つ容易に係合できるようになっている。
【００２４】
また、前記固定部１０が、前記両支持部材４に形成された前記補強部材９の両側端を規制する規制片４ａからなる構成となっており、前記係合片９ａを前記係合部１０ａ  に係合した際、前記補強部材９の両側端を前記規制片４ａに当接させることにより、前記両支持部材４の左右方向に位置ずれが生じないように規制できるようになっている。
【００２５】
前記規制片４ａは、図３（Ｂ）と、図４とで示すように、一方の前記支持部材４に突設された突出片と、他方の前記支持部材４に形成された側壁とで構成されており、前記係合片９ａを前記係合部１０ａ  に係合するのと同時に前記補強部材９の両側端を当接させることにより、前記両支持部材４の左右方向に位置ずれが生じないように規制できる。
【００２６】
その場合、前記係合片９ａを前記係合部１０ａ  に係合することで、前記両支持部材４を位置決めし、且つ前記補強部材９が離脱してしまわないよう正確に保持したのち、前記規制片４ａに当接させることで前記補強部材９の両側端を正確に固定できることになる。
【００２７】
すなわち、前記係合片９ａおよび前記係合部１０ａ  の係合状態には多少の遊び（ガタ）をもたせて係合しやすくする一方、前記規制片４ａにより前記補強部材９の両側端を正確に規制して固定できるようになる。
【００２８】
なお、図３（Ｂ）と、図４とで示すように、前記両支持部材４と前記補強部材９とに、前方に突出する先細状の突出部４ｂと、同突出部４ｂを嵌合する嵌合穴９ｃとからなる雄雌の嵌合部を設けることによって、前記両支持部材４を更に正確に位置決めして固定すると共に、前記熱交換器７を強固に支持できるように支持構造を更に強化できる。
【００２９】
また、前記補強部材９の両側部に挿通孔を設ける一方、前記両支持部材４に前記挿通孔に対応するねじ孔を設け、図４で示すねじ締め部１１のように、前記挿通孔を通したねじを前記ねじ孔に螺着して、前記両支持部材４に前記補強部材９を固定するようにしてもよい。
【００３０】
その場合、前記挿通孔を左右に長い長孔で形成することにより、左右方向の位置合わせをしながら固定できるようになる。
【００３１】
また、前記補強部材９の中央部には、外気を導入する外気導入口９ｂが設けられた構成になっており、同外気導入口９ｂに図示しない外気導入ダクトが接続されることにより換気運転も行なえるようになっている。
【００３２】
【発明の効果】
以上説明したように、本発明によれば、ベースの両側部に接合される一対の支持部材を位置ずれなく固定すると共に、同支持部材により両側部が支持される熱交換器の支持強度を増強することができるようにした空気調和機となる。
【図面の簡単な説明】
【図１】本発明による空気調和機の説明図で、（Ａ）は断面図であり、（Ｂ）はベースおよび前面パネルの斜視図である。
【図２】本発明による空気調和機の説明図で、（Ａ）は斜視図であり、（Ｂ）は熱交換器および支持部材の斜視図である。
【図３】本発明による空気調和機の要部説明図で、（Ａ）は分解斜視図であり、（Ｂ）は斜視図である。
【図４】本発明による空気調和機の要部斜視図である。
【符号の説明】
１  吸込口
２  吹出口
４  支持部材
４ａ  規制片
４ｂ  突出部
５  前部熱交換器
６  後部熱交換器
７  熱交換器
８  送風ファン
９  補強部材
９ａ  係合片
９ｂ  外気導入口
９ｃ  挿通孔
１０  固定部
１０ａ  係合部
１１  ねじ締め部
Ａ  本体
Ｂ  据付板
Ｃ  開放部
ａ  ベース
ｂ  上面パネル
ｃ  吸込グリル
ｄ  下部パネル
ｅ  前面パネル
ｆ  係止部
ｇ  係止爪
【図１】
2004183977.tif 000003
【図２】
2004183977.tif 000004
【図３】
2004183977.tif 000005
【図４】
2004183977.tif 000006
【手続補正書】
【提出日】平成14年12月6日(2002.12.6)
【手続補正１】
【補正対象書類名】明細書
【補正対象項目名】０００５
【補正方法】変更
【補正の内容】
【０００５】
【特許文献１】
実開昭６４−４１０１８号公報（第５頁、第１図および第２図）